(57)【要約】【課題】使い勝手の向上を図れる帳票処理装置、および、帳票処理装置における帳票処理方法を提供する。【解決手段】帳票処理装置１は、帳票を取り込んだり排出したりするための取込排出口８が設けられた装置本体２と、取込排出口８から装置本体２内に取り込まれた帳票を保留する保留部２２と、装置本体２内の帳票を搬送する搬送部２４と、保留部２２から取り出された帳票を処理する処理部２６と、制御部５０とを含む。処理部２６の処理対象である対象帳票と処理部２６の処理対象外である対象外帳票とを含む複数の帳票が保留部２２に保留された場合に、保留部２２に保留された対象帳票および対象外帳票の一方が他方よりも先に取込排出口８に搬送された後に当該他方が取込排出口８に搬送されるように制御部５０が搬送部２４を制御する。【選択図】図２
2020095530.tif 000002
【特許請求の範囲】
【請求項１】
帳票を取り込むための取込口と、前記取込口から取り込まれた帳票を排出するための排出口とが設けられた装置本体と、
前記取込口から前記装置本体内に取り込まれた帳票を保留する保留部と、
帳票を前記排出口と前記保留部との間において搬送する搬送部と、
前記保留部から取り出された帳票を処理する処理部と、
前記処理部の処理対象である対象帳票と前記処理部の処理対象外である対象外帳票とを含む複数の帳票が前記保留部に保留された場合に、前記保留部に保留された対象帳票および対象外帳票の一方が他方よりも先に前記排出口に搬送された後に当該他方が前記排出口に搬送されるように前記搬送部を制御する制御部とを含む、帳票処理装置。
【請求項２】
前記保留部とは別に設けられ、前記取込口から前記装置本体内に取り込まれた帳票を受け入れる受入部をさらに含み、
前記搬送部は、帳票を前記排出口と前記保留部と前記受入部との間において搬送し、
対象帳票と対象外帳票とを含む複数の帳票が前記保留部に保留された場合に、前記他方が前記受入部に受け入れられて前記一方が前記排出口に搬送された後に当該他方が前記排出口に搬送されるように前記制御部が前記搬送部を制御する、請求項１に記載の帳票処理装置。
【請求項３】
前記処理部は、前記保留部から取り出されて前記搬送部によって前記排出口へ向けて搬送される対象帳票を、前記排出口から前記装置本体外に排出される第１部分と、前記装置本体内に回収される第２部分とに分離する分離部を含み、
前記受入部は、前記第２部分を回収する回収部を兼ねる、請求項２に記載の帳票処理装置。
【請求項４】
対象外帳票が前記受入部に受け入れられてから対象帳票が前記分離部によって分離されるために前記保留部から取り出された場合に、当該対象外帳票が前記受入部から前記保留部に搬送されるように前記制御部が前記搬送部を制御する、請求項３に記載の帳票処理装置。
【請求項５】
前記保留部から前記他方を受け取って保留可能な副保留部を含み、
前記保留部における前記一方が前記副保留部における前記他方よりも先に前記排出口に搬送された後に、当該他方が前記排出口に搬送されるように前記制御部が前記搬送部を制御する、請求項１に記載の帳票処理装置。
【請求項６】
前記保留部は、帳票を個別に保留する複数の個別保留部を含み、
前記一方を保留した前記個別保留部における当該一方が、前記他方を保留した別の前記個別保留部における当該他方よりも先に前記排出口に搬送された後に、前記別の個別保留部における当該他方が前記排出口に搬送されるように前記制御部が前記搬送部を制御する、請求項１に記載の帳票処理装置。
【請求項７】
前記取込口から前記装置本体内に取り込まれた帳票を対象帳票または対象外帳票として選択するための選択部をさらに含む、請求項１〜６のいずれか一項に記載の帳票処理装置。
【請求項８】
第１部分と第２部分とに分離可能な帳票を搬送するための搬送路と、帳票を前記搬送路内に取り込むための取込口と、搬送路内の帳票における前記第１部分を排出するための排出口とが設けられた装置本体と、
帳票を前記第１部分と前記第２部分とに前記搬送路内において分離する分離部と、
前記分離部によって分離された帳票における前記第２部分を回収する回収部と、
前記搬送路内の帳票を前記排出口と前記回収部との間において搬送する搬送部と、
前記取込口から前記搬送路内に取り込まれた帳票において前記第１部分および前記第２部分のどちらが前記排出口に近いかを特定する特定部と、
前記分離部によって分離された帳票について、前記第１部分が前記排出口に搬送されるように前記搬送部を制御する第１処理と、前記第２部分が前記回収部に搬送されるように前記搬送部を制御する第２処理とを実行する制御部とを含み、
前記搬送路内において前記第２部分が前記第１部分よりも前記排出口に近いことが前記特定部によって特定された帳票については、前記制御部は、前記第２処理を実行した後に、前記第１処理を実行する、帳票処理装置。
【請求項９】
前記取込口から前記搬送路内に取り込まれた帳票の少なくとも一部を保留する保留部をさらに含み、
前記搬送部は、前記搬送路内の帳票を前記排出口と前記回収部と前記保留部との間において搬送し、
前記搬送路内において前記第２部分が前記第１部分よりも前記排出口に近いことが前記特定部によって特定された帳票については、前記制御部は、前記第１部分が前記保留部に搬送されるように前記搬送部を制御する第３処理と前記第２処理とを実行した後に、前記第１処理を実行する、請求項８に記載の帳票処理装置。
【請求項１０】
前記搬送路において前記排出口と前記分離部との間の部分から分岐して前記回収部につながった分岐路をさらに含む、請求項８または９に記載の帳票処理装置。
【請求項１１】
前記取込口が前記排出口を兼ねる、請求項１〜１０のいずれか一項に記載の帳票処理装置。
【請求項１２】
帳票を取り込むための取込口と、前記取込口から取り込まれた帳票を排出するための排出口とが設けられた装置本体を含む帳票処理装置における帳票処理方法であって、
前記取込口から前記装置本体内に帳票を取り込む取込ステップと、
前記帳票処理装置に設けられた保留部に、前記取込口から前記装置本体内に取り込まれた帳票を保留する保留ステップと、
前記帳票処理装置に設けられた処理部の処理対象である対象帳票と前記処理部の処理対象外である対象外帳票とを含む複数の帳票が前記保留部に保留された場合に、前記保留部に保留された対象帳票および対象外帳票の一方を他方よりも先に前記排出口に搬送した後に当該他方を前記排出口に搬送する搬送ステップとを含む、帳票処理装置における帳票処理方法。
【請求項１３】
第１部分と第２部分とに分離可能な帳票を搬送するための搬送路と、帳票を前記搬送路内に取り込むための取込口と、前記第１部分を排出するための排出口と、前記第２部分を回収する回収部とが設けられた装置本体を含む帳票処理装置における帳票処理方法であって、
前記取込口から前記搬送路内に帳票を取り込む取込ステップと、
前記帳票処理装置に設けられた分離部によって、帳票を前記第１部分と前記第２部分とに前記搬送路内において分離する分離ステップと、
前記取込口から前記搬送路内に取り込まれた帳票において前記第１部分および前記第２部分のどちらが前記排出口に近いかを特定する特定ステップと、
前記分離部によって分離された帳票について、前記第１部分を前記排出口に搬送する第１処理と、前記第２部分を前記回収部に搬送する第２処理とを実行する搬送ステップとを含み、
前記第２部分が前記第１部分よりも前記排出口に近いことが前記特定ステップによって特定された帳票については、前記搬送ステップにおいて、前記第２処理を実行した後に、前記第１処理を実行する、帳票処理装置における帳票処理方法。
【発明の詳細な説明】
【技術分野】
【０００１】
この発明は、帳票処理装置と、帳票処理装置における帳票処理方法とに関する。
【背景技術】
【０００２】
下記特許文献１は、店舗に設置されて収納票による公共料金等の収納代行を行う収納票処理装置を開示している。収納票処理装置の収納票処理部は、開口と、開口から取り込まれた収納票をスキャンするスキャナ部と、スキャナ部によってスキャンされた収納票を一時的に集積する一時保留部と、一時保留部から繰り出された収納票に領収印を印刷する領収印形成部とを含む。収納票処理部は、収納票を開口から取り込んでスキャナ部によってスキャンし、スキャン結果に基いて支払金額を特定する。支払金額が入金されると、収納票処理部は、一時保留部から収納票を繰り出して、領収印形成部によって収納票に領収印を印刷し、印刷後の収納票を開口から排出する。一時保留部に集積された収納票についての支払金額の入金がキャンセルされると、収納票処理部は、キャンセルされた収納票を未処理のまま開口から返却する。
【先行技術文献】
【特許文献】
【０００３】
【特許文献１】特開２０１７−１５１８３６号公報
【発明の概要】
【発明が解決しようとする課題】
【０００４】
特許文献１の収納票処理装置では、複数の収納票が一時保留部に集積された状態において一部の収納票についての支払金額の入金がキャンセルされると、支払金額が入金された収納票と、キャンセルされた収納票とが、一時保留部から１つずつ繰り出される。収納票は、一時保留部から繰り出された順番に開口から排出される。この場合、開口から排出された複数の収納票では、支払金額が入金された収納票と、キャンセルされた収納票とが混在しているので、利用者はこれらの収納票を仕分ける必要がある。このような問題は、収納票を排出するための開口が１つだけ存在することに起因する。収納票等の帳票を処理する帳票処理装置では、特許文献１の収納票処理装置のようにキャンセルが発生したとき等における使い勝手の向上が望まれる。
【０００５】
この発明は、かかる背景のもとでなされたもので、使い勝手の向上を図れる帳票処理装置、および、帳票処理装置における帳票処理方法を提供することを目的とする。
【課題を解決するための手段】
【０００６】
本発明は、帳票を取り込むための取込口と、前記取込口から取り込まれた帳票を排出するための排出口とが設けられた装置本体と、前記取込口から前記装置本体内に取り込まれた帳票を保留する保留部と、帳票を前記排出口と前記保留部との間において搬送する搬送部と、前記保留部から取り出された帳票を処理する処理部と、前記処理部の処理対象である対象帳票と前記処理部の処理対象外である対象外帳票とを含む複数の帳票が前記保留部に保留された場合に、前記保留部に保留された対象帳票および対象外帳票の一方が他方よりも先に前記排出口に搬送された後に当該他方が前記排出口に搬送されるように前記搬送部を制御する制御部とを含む、帳票処理装置である。
【０００７】
また、本発明は、前記帳票処理装置が、前記保留部とは別に設けられ、前記取込口から前記装置本体内に取り込まれた帳票を受け入れる受入部をさらに含み、前記搬送部が、帳票を前記排出口と前記保留部と前記受入部との間において搬送し、対象帳票と対象外帳票とを含む複数の帳票が前記保留部に保留された場合に、前記他方が前記受入部に受け入れられて前記一方が前記排出口に搬送された後に当該他方が前記排出口に搬送されるように前記制御部が前記搬送部を制御することを特徴とする。
【０００８】
また、本発明は、前記処理部が、前記保留部から取り出されて前記搬送部によって前記排出口へ向けて搬送される対象帳票を、前記排出口から前記装置本体外に排出される第１部分と、前記装置本体内に回収される第２部分とに分離する分離部を含み、前記受入部が、前記第２部分を回収する回収部を兼ねることを特徴とする。
また、本発明は、対象外帳票が前記受入部に受け入れられてから対象帳票が前記分離部によって分離されるために前記保留部から取り出された場合に、当該対象外帳票が前記受入部から前記保留部に搬送されるように前記制御部が前記搬送部を制御することを特徴とする。
【０００９】
また、本発明は、前記保留部から前記他方を受け取って保留可能な副保留部を含み、前記保留部における前記一方が前記副保留部における前記他方よりも先に前記排出口に搬送された後に、当該他方が前記排出口に搬送されるように前記制御部が前記搬送部を制御することを特徴とする。
また、本発明は、前記保留部が、帳票を個別に保留する複数の個別保留部を含み、前記一方を保留した前記個別保留部における当該一方が、前記他方を保留した別の前記個別保留部における当該他方よりも先に前記排出口に搬送された後に、前記別の個別保留部における当該他方が前記排出口に搬送されるように前記制御部が前記搬送部を制御することを特徴とする。
【００１０】
また、本発明は、前記帳票処理装置が、前記取込口から前記装置本体内に取り込まれた帳票を対象帳票または対象外帳票として選択するための選択部をさらに含むことを特徴とする。
また、本発明は、第１部分と第２部分とに分離可能な帳票を搬送するための搬送路と、帳票を前記搬送路内に取り込むための取込口と、搬送路内の帳票における前記第１部分を排出するための排出口とが設けられた装置本体と、帳票を前記第１部分と前記第２部分とに前記搬送路内において分離する分離部と、前記分離部によって分離された帳票における前記第２部分を回収する回収部と、前記搬送路内の帳票を前記排出口と前記回収部との間において搬送する搬送部と、前記取込口から前記搬送路内に取り込まれた帳票において前記第１部分および前記第２部分のどちらが前記排出口に近いかを特定する特定部と、前記分離部によって分離された帳票について、前記第１部分が前記排出口に搬送されるように前記搬送部を制御する第１処理と、前記第２部分が前記回収部に搬送されるように前記搬送部を制御する第２処理とを実行する制御部とを含み、前記搬送路内において前記第２部分が前記第１部分よりも前記排出口に近いことが前記特定部によって特定された帳票については、前記制御部は、前記第２処理を実行した後に、前記第１処理を実行する、帳票処理装置である。
【００１１】
また、本発明は、前記帳票処理装置が、前記取込口から前記搬送路内に取り込まれた帳票の少なくとも一部を保留する保留部をさらに含み、前記搬送部が、前記搬送路内の帳票を前記排出口と前記回収部と前記保留部との間において搬送し、前記搬送路内において前記第２部分が前記第１部分よりも前記排出口に近いことが前記特定部によって特定された帳票については、前記制御部が、前記第１部分が前記保留部に搬送されるように前記搬送部を制御する第３処理と前記第２処理とを実行した後に、前記第１処理を実行することを特徴とする。
【００１２】
また、本発明は、前記帳票処理装置が、前記搬送路において前記排出口と前記分離部との間の部分から分岐して前記回収部につながった分岐路をさらに含むことを特徴とする。
また、本発明は、前記取込口が前記排出口を兼ねることを特徴とする。
また、本発明は、帳票を取り込むための取込口と、前記取込口から取り込まれた帳票を排出するための排出口とが設けられた装置本体を含む帳票処理装置における帳票処理方法であって、前記取込口から前記装置本体内に帳票を取り込む取込ステップと、前記帳票処理装置に設けられた保留部に、前記取込口から前記装置本体内に取り込まれた帳票を保留する保留ステップと、前記帳票処理装置に設けられた処理部の処理対象である対象帳票と前記処理部の処理対象外である対象外帳票とを含む複数の帳票が前記保留部に保留された場合に、前記保留部に保留された対象帳票および対象外帳票の一方を他方よりも先に前記排出口に搬送した後に当該他方を前記排出口に搬送する搬送ステップとを含む、帳票処理装置における帳票処理方法である。
【００１３】
また、本発明は、第１部分と第２部分とに分離可能な帳票を搬送するための搬送路と、帳票を前記搬送路内に取り込むための取込口と、前記第１部分を排出するための排出口と、前記第２部分を回収する回収部とが設けられた装置本体を含む帳票処理装置における帳票処理方法であって、前記取込口から前記搬送路内に帳票を取り込む取込ステップと、前記帳票処理装置に設けられた分離部によって、帳票を前記第１部分と前記第２部分とに前記搬送路内において分離する分離ステップと、前記取込口から前記搬送路内に取り込まれた帳票において前記第１部分および前記第２部分のどちらが前記排出口に近いかを特定する特定ステップと、前記分離部によって分離された帳票について、前記第１部分を前記排出口に搬送する第１処理と、前記第２部分を前記回収部に搬送する第２処理とを実行する搬送ステップとを含み、前記第２部分が前記第１部分よりも前記排出口に近いことが前記特定ステップによって特定された帳票については、前記搬送ステップにおいて、前記第２処理を実行した後に、前記第１処理を実行する、帳票処理装置における帳票処理方法である。
【発明の効果】
【００１４】
本発明によれば、帳票処理装置において使い勝手の向上を図れる。
【図面の簡単な説明】
【００１５】
【図１】図１は、この発明の一実施形態に係る帳票処理装置の斜視図である。
【図２】図２は、第１実施形態に係る帳票処理装置の内部構造を示す模式的な側面図である。
【図３】図３は、帳票処理装置の電気的構成を示すブロック図である。
【図４Ａ】図４Ａは、帳票処理装置において実施される処理の手順を示すフローチャートである。
【図４Ｂ】図４Ｂは、帳票処理装置において実施される処理の手順を示すフローチャートである。
【図５】図５は、帳票処理装置の表示操作部の表示内容の一例を示す模式図である。
【図６Ａ−６Ｃ】図６Ａ−６Ｃは、第１実施形態に係る帳票処理装置内における帳票の動きを示す模式的な側面図である。
【図６Ｄ−６Ｆ】図６Ｄ−６Ｆは、第１実施形態に係る帳票処理装置内における帳票の動きを示す模式的な側面図である。
【図７】図７は、第２実施形態に係る帳票処理装置の内部構造を示す模式的な側面図である。
【図８Ａ−８Ｃ】図８Ａ−８Ｃは、第２実施形態に係る帳票処理装置内における帳票の動きを示す模式的な側面図である。
【図８Ｄ−８Ｆ】図８Ｄ−８Ｆは、第２実施形態に係る帳票処理装置内における帳票の動きを示す模式的な側面図である。
【図９】図９は、第３実施形態に係る帳票処理装置の内部構造を示す模式的な側面図である。
【図１０】図１０は、帳票処理装置において実施される別の処理の手順を示すフローチャートである。
【図１１Ａ−１１Ｄ】図１１Ａ−１１Ｄは、第１実施形態と内部構造が同じ帳票処理装置内における帳票の動きを示す模式的な側面図である。
【図１２】図１２は、第４実施形態に係る帳票処理装置の内部構造を示す模式的な側面図である。
【図１３Ａ−１３Ｃ】図１３Ａ−１３Ｃは、第４実施形態に係る帳票処理装置内における帳票の動きを示す模式的な側面図である。
【図１３Ｄ−１３Ｅ】図１３Ｄ−１３Ｅは、第４実施形態に係る帳票処理装置内における帳票の動きを示す模式的な側面図である。
【図１４Ａ−１４Ｃ】図１４Ａ−１４Ｃは、第１実施形態と内部構造が同じ帳票処理装置内における帳票の動きを示す模式的な側面図である。
【発明を実施するための形態】
【００１６】
以下には、図面を参照して、この発明の実施形態について具体的に説明する。図１は、この発明の一実施形態に係る帳票処理装置１の斜視図である。この実施形態における帳票処理装置１は、金融機関やコンビニエンスストア等の店舗に設置される。図１では、帳票処理装置１で取り扱われる帳票Ｃも図示されている。帳票Ｃの一例は、公共料金等（以下では「料金」と略称する）の支払いに訪れた利用者によって持ち込まれる長方形状の紙である。帳票Ｃは、第１部分の一例としての領収書Ｃ１と、第２部分の一例としての控えＣ２とを有する。領収書Ｃ１および控えＣ２は、帳票Ｃの一部である。店舗に持ち込まれた時点における帳票Ｃでは、領収書Ｃ１と控えＣ２とが互いにつながった状態にて帳票Ｃの長手方向に沿って並んでいて、領収書Ｃ１と控えＣ２との境界には帳票Ｃの短手方向に延びるミシン目Ｍが形成されている。
【００１７】
利用者が帳票Ｃを店舗におけるレジ等の有人の窓口に持ち込んだ場合、窓口の店員は、帳票Ｃの表面ＣＡに印刷された情報（図示せず）から、支払うべき料金を利用者に伝える。利用者が料金を支払うと、店員は、帳票Ｃの表面ＣＡにおける領収書Ｃ１および控えＣ２のそれぞれに領収印を押して領収書Ｃ１と控えＣ２とを分離し、領収書Ｃ１を利用者に手渡す。これにより、利用者と店員との間における払込取引は完了する。控えＣ２は、店員によって回収される。回収された控えＣ２は、帳票Ｃが持ち込まれた店舗等にて保管される払込依頼書と、払込取引の完了後に払い込み先（帳票Ｃが持ち込まれた店舗とは限らない）に送付される払込通知書とに分離されてもよい。つまり、帳票Ｃは、３つ以上に分離可能であってもよい。帳票処理装置１は、このような払込取引を利用者との間にて自動的に行う装置である。
【００１８】
帳票処理装置１は、縦長のボックス形状の装置本体２を含む。装置本体２における正面側の前面３では、上側領域３Ａが下側領域３Ｂよりも後側に一段ずれることにより、上側領域３Ａと下側領域３Ｂとの間には水平に延びる境界領域３Ｃが形成されている。上側領域３Ａの上側部分には、例えばタッチパネル付きの液晶モニターによって構成された表示操作部４が設けられている。上側領域３Ａにおいて表示操作部４よりも右側の領域には、後側へ窪んだ窪み３Ｄが形成されている、窪み３Ｄには、左右に細長いスリット状のレシート取出口５およびカード出入口６と、ＰＩＮパッド等によって構成された入力部７とが上下に並んで設けられている。上側領域３Ａにおいて表示操作部４よりも下側には、左右に細長いスリット状の取込排出口８と、取込排出口８の下端を縁取って前側へ水平に突出した板状のトレイ９とが設けられている。
【００１９】
前面３の下側領域３Ｂの上部において例えば右寄りの領域には、左右に細長いスリット状の紙幣投入口１０および紙幣出金口１１が上下に並んで設けられている。紙幣投入口１０および紙幣出金口１１は、下側領域３Ｂと境界領域３Ｃとに跨って略Ｌ字状に折り曲げられたシャッター１２によって一括開閉される。下側領域３Ｂの上部において紙幣投入口１０および紙幣出金口１１よりも左側の領域には、硬貨出金口１３が設けられ、境界領域３Ｃにおいて左右方向において硬貨出金口１３と同じ位置には、硬貨投入口１４が設けられている。硬貨出金口１３および硬貨投入口１４は、シャッター１２と同様に略Ｌ字状に折り曲げられたシャッター１５によって一括開閉される。なお、シャッター１２は、紙幣投入口１０だけを開閉するシャッターと、紙幣出金口１１だけを開閉するシャッターとに分かれていてもよい。同様に、シャッター１５は、硬貨出金口１３だけを開閉するシャッターと、硬貨投入口１４だけを開閉するシャッターとに分かれていてもよい。
【００２０】
表示操作部４、レシート取出口５、カード出入口６、入力部７、取込排出口８、紙幣投入口１０、紙幣出金口１１、硬貨出金口１３および硬貨投入口１４のそれぞれの位置は、利用者にとってアクセスしやすい位置であれば、任意に変更できる。また、紙幣投入口１０と紙幣出金口１１とが紙幣入出金口としてまとめられてもよいし、硬貨出金口１３と硬貨投入口１４とが硬貨入出金口としてまとめられてもよい。
【００２１】
帳票処理装置１における払込取引について簡単に説明すると、帳票処理装置１に料金を支払いたい利用者は、帳票処理装置１の前に立つ。そして、利用者は、帳票処理装置１の前後方向において長手かつ水平な姿勢にあって表面ＣＡが上向きになった帳票Ｃを、領収書Ｃ１が最後尾となるように、つまり控えＣ２が先頭となるようにトレイ９に載せて取込排出口８に挿入する（矢印Ｙ１を参照）。これにより、帳票Ｃが取込排出口８から装置本体２内に取り込まれる。すると、帳票処理装置１では、帳票Ｃの表面ＣＡに印刷された情報（図示せず）から料金の金額が読み取られて表示操作部４に表示される。表示操作部４には、帳票Ｃの表面ＣＡの画像が表示されてもよい。料金を現金決済する利用者は、開放された紙幣投入口１０や硬貨投入口１４に現金を投入する。料金をキャッシュカードによって口座決済したい利用者は、自身のキャッシュカードをカード出入口６に挿入した後に、入力部７によって暗証番号等を入力する。
【００２２】
現金決済および口座決済のいずれかの決済処理が完了すると、帳票処理装置１内では、帳票Ｃにおける領収書Ｃ１および控えＣ２のそれぞれに領収印が押され、帳票Ｃが、ミシン目Ｍにおいて切断されて領収書Ｃ１と控えＣ２とに分離される。控えＣ２は、装置本体２内に回収され、領収書Ｃ１は、取込排出口８から装置本体２の外のトレイ９上に排出されて利用者に返却される（矢印Ｙ２を参照）。現金決済において釣銭が発生した場合には、釣銭が、紙幣出金口１１や硬貨出金口１３から利用者に排出される。口座決済の場合には、口座の残高等を示したレシートがレシート取出口５から発行される。現金決済および口座決済のそれぞれの場合において、今回の払込取引の内容を示したレシートがレシート取出口５から発行されてもよい。
【００２３】
このように、取込排出口８は、１つだけ存在するが、帳票Ｃを装置本体２内に取り込むための取込口と、取込口から取り込まれた帳票Ｃを排出するための排出口とを兼ねる。これにより、利用者が、同じ取込排出口８から帳票Ｃを取り込んだり排出後の帳票Ｃ（厳密には領収書Ｃ１）を受け取ったりすることができるので、使い勝手の向上を図れる。ただし、取込口と排出口とは装置本体２において別々に存在する構成もあり得る。その場合、少なくとも排出口は、１つだけ設けられる。帳票処理装置１には、その内部構造について複数の実施形態が挙げられ、以下では、各実施形態に係る帳票処理装置１について説明する。
【００２４】
図２は、第１実施形態に係る帳票処理装置１の内部構造を示す模式的な側面図である。図２における左側は、帳票処理装置１の前側（利用者に近い手前側）であり、図２における右側は、帳票処理装置１の後側（奥側）であり、図２の紙面に垂直な方向は、帳票処理装置１の左右方向である。以下では、帳票処理装置１の前後方向、左右方向および上下方向を用いて説明を行う。なお、説明の便宜上、図１にて説明したレシート取出口５、カード出入口６および入力部７等の図示が図２では省略されている。
【００２５】
帳票処理装置１の装置本体２内には、取込排出口８に挿入された帳票Ｃを搬送するための搬送路２１が設けられている。搬送路２１は、装置本体２内にて搬送される帳票Ｃの軌跡に沿って延びるスペースである。搬送路２１の幅方向は、左右方向と一致している。搬送路２１は、取込排出口８から後側へ水平に延びる第１搬送路２１Ａと、第１搬送路２１Ａの後端から後上側へ延びる第２搬送路２１Ｂと、第１搬送路２１Ａの後端から下側へ延びた後に前側へ湾曲した第３搬送路２１Ｃとを含む。搬送路２１内の帳票Ｃは、通常では、帳票Ｃにおける二辺が前後方向および／または上下方向と整合した姿勢を保って搬送される。
【００２６】
取込排出口８に挿入されて搬送路２１内に取り込まれた帳票Ｃは、第１搬送路２１Ａを通過した後に、第２搬送路２１Ｂおよび第３搬送路２１Ｃのどちらかに搬送される。そのため、搬送路２１では、帳票Ｃの搬送方向（以下では単に「搬送方向」という）において、第１搬送路２１Ａが、取込排出口８に近い上流側に位置し、第２搬送路２１Ｂおよび第３搬送路２１Ｃが、取込排出口８から離れた下流側に位置している。第１搬送路２１Ａでは、取込排出口８につながった前端が、搬送方向における上流端２１ＡＡであり、後端が、搬送方向における下流端２１ＡＢである。第２搬送路２１Ｂでは、第１搬送路２１Ａにつながった前端が、搬送方向における上流端２１ＢＡであり、後端が、搬送方向における下流端２１ＢＢである。第３搬送路２１Ｃでは、第１搬送路２１Ａにつながった上端が、搬送方向における上流端２１ＣＡであり、上流端２１ＣＡと反対の端が、搬送方向における下流端２１ＣＢである。
【００２７】
帳票処理装置１は、取込排出口８から搬送路２１内に取り込まれた帳票Ｃを一時的に保留する保留部２２と、保留部２２とは別に設けられて搬送路２１内の帳票Ｃを受け入れる受入部２３と、搬送路２１内の帳票Ｃを搬送する搬送部２４とを含む。帳票処理装置１は、搬送路２１内の帳票Ｃを読み取る読取部２５と、保留部２２から搬送路２１に取り出された帳票Ｃに分離や押印等の処理を施す処理部２６と、搬送路２１内の帳票Ｃの姿勢を矯正するアライメント部２７と、帳票Ｃが搬送路２１内の所定位置を通過したか否かを検出する検出部２８とをさらに含む。
【００２８】
保留部２２は、第２搬送路２１Ｂの下流端２１ＢＢに接続されている。第２搬送路２１Ｂを保留部２２の一部とみなしてもよい。この実施形態の保留部２２として、公知の巻き取り式の一時保留部が用いられる。この場合の保留部２２は、ドラム２２Ａと、ドラム２２Ａを回転させるモータ（図示せず）とを含む。第２搬送路２１Ｂの下流端２１ＢＢまで搬送された帳票Ｃは、保留部２２における一対のテープＴによって挟まれる。この状態でドラム２２Ａが回転すると、一対のテープＴによって挟まれた帳票Ｃが、これらのテープＴとともにドラム２２Ａに巻き取られることによって一時保留される。ドラム２２Ａが逆転すると、今までドラム２２Ａに巻き取られていた帳票Ｃが、保留部２２から第２搬送路２１Ｂに受け渡される。
【００２９】
受入部２３は、分離後の帳票Ｃにおける控えＣ２を回収する回収部としての機能を主に有するスペースである。受入部２３は、装置本体２内において例えば第１搬送路２１Ａの下側に配置され、第３搬送路２１Ｃの下流端２１ＣＢに接続されている。第３搬送路２１Ｃを受入部２３の一部とみなしてもよい。
搬送部２４は、搬送路２１の全域に分散して配置された複数の搬送ローラ３１を複数含む。各搬送ローラ３１は、左右方向に細長く延びる円柱体である。搬送部２４は、これらの搬送ローラ３１を正逆回転させるモータ（図示せず）も含む。正回転する搬送ローラ３１は、この搬送ローラ３１の外周面に接触した帳票Ｃを搬送路２１内において搬送方向の下流側へ搬送する。逆回転する搬送ローラ３１は、この搬送ローラ３１の外周面に接触した帳票Ｃを搬送路２１内において搬送方向の上流側へ搬送する。搬送ローラ３１は、対をなして対向配置されて搬送路２１内において接触していてもよい。対になった２つのローラは、その間に帳票Ｃを挟持した状態にて互いに反対の方向に回転することによって、この帳票Ｃを搬送路２１内において上流側または下流側へ搬送する。
【００３０】
複数の搬送ローラ３１のうち、第１搬送路２１Ａの上流端２１ＡＡを上下から挟むように配置された少なくとも一対の搬送ローラ３１を、取込排出ローラ３１Ａという。取込排出口８に挿入された帳票Ｃは、正回転する取込排出ローラ３１Ａによって第１搬送路２１Ａ内に取り込まれる。第１搬送路２１Ａ内におい下流側から上流端２１ＡＡに到達した帳票Ｃは、逆回転する取込排出ローラ３１Ａによって取込排出口８から排出される。
【００３１】
搬送部２４は、第１搬送路２１Ａと第２搬送路２１Ｂと第３搬送路２１Ｃとの接続位置に設けられた分岐爪（図示せず）と、分岐爪の向きを切り換えるソレノイド等の駆動部（図示せず）とをさらに含む。分岐爪の向きが切り換わることにより、第１搬送路２１Ａ内の帳票Ｃを第２搬送路２１Ｂまたは第３搬送路２１Ｃに受け渡したり、第２搬送路２１Ｂ内の帳票Ｃを第１搬送路２１Ａまたは第３搬送路２１Ｃに受け渡したり、第３搬送路２１Ｃ内の帳票Ｃを第１搬送路２１Ａまたは第２搬送路２１Ｂに受け渡したりすることができる。その際、第１搬送路２１Ａと第２搬送路２１Ｂと第３搬送路２１Ｃとの接続位置に設けられた搬送ローラ３１が少なくとも回転する。搬送部２４は、このように搬送ローラ３１を回転させたり分岐爪の向きを切り換えたりすることによって、帳票Ｃを取込排出口８と保留部２２と受入部２３との間において搬送する。
【００３２】
読取部２５は、第１搬送路２１Ａの途中に配置され、第１搬送路２１Ａを左右方向に横切っている。読取部２５は、第１搬送路２１Ａ内の帳票Ｃの表面ＣＡのイメージを上側から光学的に読み取って帳票Ｃの画像情報を取得するものであり、例えば、ＣＩＳ（Contact Image Sensor）等のラインセンサによって構成されている。
処理部２６は、帳票Ｃをミシン目Ｍにおいて分離する分離部３２と、帳票Ｃにおける領収書Ｃ１および控えＣ２のそれぞれの表面ＣＡに領収印を記入する記入部３３とを含む。分離部３２は、第１搬送路２１Ａにおいて取込排出ローラ３１Ａと読取部２５との間に配置されている。分離部３２は、切断部材３４と、例えばモータによって構成されて切断部材３４を移動させるアクチュエータ（図示せず）とを含む。切断部材３４は、金属製または樹脂製のカッターであり、その刃先３４Ａの刃渡り方向は、左右方向に延びている。切断部材３４は、刃先３４Ａが第１搬送路２１Ａを横切るように、第１搬送路２１Ａに対して交差または直交する方向（図２では上下方向）に移動可能である。図２に示す切断部材３４は待機位置にあって、刃先３４Ａが第１搬送路２１Ａから上側へ離れている。
【００３３】
複数の搬送ローラ３１のうち、第１搬送路２１Ａにおいて上流端２１ＡＡ側から切断部材３４に隣接する部分を上下から挟むように配置された少なくとも一対の搬送ローラ３１を、上流ローラ３１Ｂという。複数の搬送ローラ３１のうち、第１搬送路２１Ａにおいて下流端２１ＡＢ側から切断部材３４に隣接する部分を上下から挟むように配置された少なくとも一対の搬送ローラ３１を、下流ローラ３１Ｃという。搬送方向において、上流ローラ３１Ｂは、取込排出ローラ３１Ａと切断部材３４との間に位置していて、下流ローラ３１Ｃは、切断部材３４と読取部２５との間に位置している。
【００３４】
記入部３３は、移動部３５と、移動部３５を移動させるアクチュエータ（図示せず）とを含む。移動部３５は、第１搬送路２１Ａにおいて読取部２５よりも搬送方向の下流側に配置され、上側から第１搬送路２１Ａに臨んでいる。移動部３５の下端面には、領収印を反転させたものと一致した模様が刻まれている。または、移動部３５の下端面には、このような模様ではなく、ドットインパクトプリンタ等によって構成された印刷ヘッド（図示せず）が設けられ、領収印が印刷ヘッドによって再現されて帳票Ｃに印刷されてもよい。記入部３３は、領収印以外の情報を帳票Ｃに記入できてもよい。
【００３５】
アライメント部２７は、搬送方向における処理部２６の周辺、一例として分離部３２と記入部３３との間に配置されている。アライメント部２７は、第１搬送路２１Ａの幅方向における一端に配置された単数または複数の位置決め部３６と、単数または複数の補正ローラ３７と、補正ローラ３７を回転させるモータ（図示せず）とを含む。位置決め部３６において第１搬送路２１Ａに臨んだ側面は、第１搬送路２１Ａ内における帳票Ｃの進行方向つまり前後方向に沿って平坦な寄せ当て面である。複数設けられた場合における位置決め部３６は、前後方向に並んで配置される。補正ローラ３７は、その外周面が第１搬送路２１Ａに臨むように配置される。補正ローラ３７は、搬送ローラ３１とは異なり、前後方向に延びる回転軸線（図示せず）まわりに回転する。第１搬送路２１Ａ内において搬送される帳票Ｃは、回転する補正ローラ３７に接触することによって、位置決め部３６の寄せ当て面に寄せられる。帳票Ｃが進行方向に対して傾斜した斜行状態にて搬送される場合があるが、この帳票Ｃが寄せ当て面に寄せられることによって、この帳票Ｃの姿勢が矯正されて斜行状態が解消する。
【００３６】
検出部２８は、一例として、搬送方向における読取部２５と記入部３３との間に配置されている。検出部２８は、例えばフォトインタラプタであって、第１搬送路２１Ａを上下に挟んで離れた配置された発光素子２８Ａおよび受光素子２８Ｂを含んでいる。発光素子２８Ａと受光素子２８Ｂとの間に帳票Ｃが存在しない状態では、発光素子２８Ａによって発光された検知光（図示せず）が受光素子２８Ｂに受光される。帳票Ｃが発光素子２８Ａと受光素子２８Ｂとの間に存在すると、検知光が帳票Ｃによって遮光される。帳票Ｃが発光素子２８Ａと受光素子２８Ｂとの間を通過すると、検知光が再び受光素子２８Ｂに受光される。検出部２８は、このような検知光の遮光や受光によって、発光素子２８Ａと受光素子２８Ｂとの間における帳票Ｃの通過を検出する。
【００３７】
図３は、帳票処理装置１の電気的構成を示すブロック図である。保留部２２、搬送部２４、読取部２５、処理部２６、アライメント部２７および検出部２８は、帳票処理部４０を構成する。帳票処理装置１は、レシートを印刷するためのレシート処理部４１と、カード出入口６に挿入されたキャッシュカードを処理するカード処理部４２と、帳票処理装置１に投入された現金を処理する現金処理部４３とを装置本体２内に内蔵している。レシート処理部４１としてレーザプリンタやサーマルプリンタを用いることができる。レシート処理部４１は、レシートを印刷してレシート取出口５に排出する。カード処理部４２は、カード出入口６に挿入されたキャッシュカードから必要な情報を読み取ったり、払込取引の中止や終了に応じてキャッシュカードをカード出入口６から排出したりする。現金処理部４３は、紙幣投入口１０や硬貨投入口１４に投入された現金を計数して収納したり、釣銭を算出したり、釣銭等の排出用の現金を紙幣出金口１１や硬貨出金口１３に投出したりする。
【００３８】
帳票処理装置１は、特定部の一例としての制御部５０を含む。制御部５０は、ＣＰＵやＲＯＭやＲＡＭや計時用のタイマ等を含んだマイクロコンピュータによって構成されている。制御部５０には、表示操作部４、入力部７、帳票処理部４０、レシート処理部４１、カード処理部４２および現金処理部４３のそれぞれが電気的に接続されている。制御部５０は、表示操作部４での表示内容を制御したり、利用者等による表示操作部４のタッチパネルや入力部７の操作を受け付けたりする。制御部５０は、払込取引のために、帳票処理部４０、レシート処理部４１、カード処理部４２および現金処理部４３のそれぞれに対して、それぞれの処理を実行させる。
【００３９】
帳票処理装置１は、制御部５０に対して電気的に接続される別の部品として、シャッター用アクチュエータ５１と、インターフェース（Ｉ／Ｆ）部５２と、記憶部５３とをさらに含む。制御部５０は、シャッター用アクチュエータ５１を動作させることによってシャッター１２やシャッター１５を開閉させる。Ｉ／Ｆ部５２は、図示しないＬＡＮ（Local Area Network）に接続されていて、制御部５０は、Ｉ／Ｆ部５２を介して外部装置と通信することができる。
【００４０】
記憶部５３には、様々な情報が記憶されているが、特に、帳票処理装置１での取り扱い対象となる帳票Ｃの種類を特定するためのテンプレートが帳票Ｃの種類毎に予め記憶されている。このテンプレートは、例えば、帳票Ｃのサイズおよび記載レイアウトに関する外見情報と、払込取引の際に記入部３３によって帳票Ｃに記入すべき事項および記入位置（特に領収印の押印箇所）に関する記入情報と、帳票Ｃにおける分離位置（ミシン目Ｍの位置等）に関する分離情報とを含む。
【００４１】
払込取引の際に帳票処理装置１において行われる処理の内容を、図４Ａのフローチャートを参照して説明する。まず、利用者が、表面ＣＡが上向きになった帳票Ｃを、控えＣ２が先頭となるように取込排出口８に挿入する（図１の矢印Ｙ１を参照）。この帳票Ｃにおいて控えＣ２側の先端部が一対の取込排出ローラ３１Ａの間に挟まると、制御部５０は、搬送部２４のモータ（図示せず）を駆動させて搬送ローラ３１を正回転させることにより、帳票Ｃを取込排出口８から装置本体２内の第１搬送路２１Ａに取り込む（ステップＳ１）。これにより、帳票Ｃは、前後方向に長手かつ水平な姿勢を維持しながら、控えＣ２を先頭として第１搬送路２１Ａ内において後側へ搬送され、読取部２５を通過する。
【００４２】
帳票Ｃが読取部２５を通過する際に、制御部５０は、帳票Ｃの表面ＣＡの画像情報を読取部２５によって読み取る（ステップＳ２）。ステップＳ２では、制御部５０は、ＯＣＲ（Optical Character Reader）処理として、帳票Ｃから読み取った表面ＣＡの画像情報を記憶部５３のテンプレートにおける外見情報に照合することによって帳票Ｃの種類を特定したり、画像情報に含まれる文字や数字を識別したりする。ステップＳ２では、制御部５０は、第１搬送路２１Ａ内に取り込まれた帳票Ｃにおいて領収書Ｃ１および控えＣ２のどちらが先頭であるか、換言すれば、領収書Ｃ１および控えＣ２のどちらが取込排出口８に近いかを表面ＣＡの画像情報およびテンプレートの外見情報等に基いて特定する。つまり、制御部５０は、搬送方向における帳票Ｃの向きを特定する。例えば、読み取られた表面ＣＡの画像がテンプレートの画像と一致する場合には、帳票Ｃは、控えＣ２が先頭となるような向きをとっており、表面ＣＡの画像を加工によって１８０度反転させるとテンプレートの画像と一致する場合には、帳票Ｃは、領収書Ｃ１が先頭となるような向きをとっている。
【００４３】
制御部５０が種類を特定できなかった帳票Ｃは、帳票処理装置１での取引の対象外の帳票Ｃ、または、表面ＣＡが下向きの姿勢にて取り込まれたことによって表面ＣＡの画像情報を読み取れなかった帳票Ｃである。制御部５０は、種類を特定できなかった帳票Ｃを搬送部２４によって取込排出口８から返却する。その際、対象外の帳票Ｃについては、制御部５０は、窓口での店員による処理を利用者に促す表示を表示操作部４に表示してもよい。また、表面ＣＡの向きが間違った姿勢にて挿入された帳票Ｃについては、制御部５０は、表面ＣＡが上向きになるように姿勢を直して再挿入することを利用者に促す表示を表示操作部４に表示してもよい。
【００４４】
制御部５０は、このように画像情報を読み取ることによって種類および向きを特定した帳票Ｃを、搬送部２４によって第１搬送路２１Ａから第２搬送路２１Ｂに受け渡し、保留部２２に一時保留する（ステップＳ３）。保留部２２は、所定の上限（この実施形態では４枚）まで複数の帳票Ｃを保留することができる。そのため、次の帳票Ｃが取込排出口８に挿入されて一対の取込排出ローラ３１Ａの間に挟まるたびに（ステップＳ４にてＹＥＳ）、制御部５０は、ステップＳ１〜Ｓ３の処理を繰り返す。これにより、取込排出口８に挿入された複数の帳票Ｃが順番に保留部２２に一時保留される。なお、帳票Ｃが取込排出口８に挿入されたか否かを検出するセンサ（図示せず）を設けて、そのセンサが取込排出口８への帳票Ｃの挿入を検出した場合に制御部５０がステップＳ１の処理を実行してもよい。
【００４５】
帳票Ｃの一時保留が終えてから所定時間が経過しても次の帳票Ｃが取込排出口８に挿入されない場合には（ステップＳ４にてＮＯ）、制御部５０は、今回の払込取引の対象となる全ての帳票Ｃの取り込みが完了したと判断する。制御部５０は、帳票Ｃを取り込んだ順番（以下では「取り込み順」という）を各帳票Ｃと関連付けて一時記憶する。複数の帳票Ｃが保留部２２に保留された場合、保留部２２内のこれらの帳票Ｃは、取り込み順に第２搬送路２１Ｂから遠ざかるように並んでいる。そして、制御部５０は、これらの帳票Ｃについての払込取引のキャンセルを受け付けるためのキャンセル画面５５を表示操作部４に表示する（ステップＳ５）。
【００４６】
図５は、表示操作部４に表示されたキャンセル画面５５の一例を示す模式図である。キャンセル画面５５には、ステップＳ２にて帳票Ｃの表面ＣＡから読み取られた画像情報を表わした選択キーＰが、取り込み順を示すタイトル（図５における＜１枚目＞〜＜４枚目＞）とともに取り込み順に並んで表示される。選択キーＰは、帳票Ｃ毎に設けられるタッチキーである。各帳票Ｃの画像情報は、支払うべき料金に関する料金情報（例えば選択キーＰ１における￥５０００の記載）と、料金の納付期限に関する期限情報（例えば選択キーＰ１における納付期限：２０１８／１２／５の記載）とを含む。キャンセル画面５５の例えば下端には、今回画像情報が読み取られた全ての帳票Ｃの料金の合計金額を表わした合計金額欄Ｑが表示される。制御部５０は、帳票Ｃから読み取った画像情報に含まれる料金情報から料金を特定し、複数の帳票Ｃにおける料金を足し合わせることによって合計金額を算出する。キャンセル画面５５の例えば下端には、選択キーＰへのタッチの有無にかかわらず最後にタッチする必要がある確認キーＲが表示される。キャンセル画面５５の例えば上端には、キャンセルする帳票Ｃを選択して最後に確認キーＲにタッチする旨を利用者に促す案内文Ｓが表示される。
【００４７】
キャンセル画面５５の内容は、適宜変更できる。例えば、選択キーＰには帳票Ｃの画像情報が表わされなくてもよく、この場合のキャンセル画面５５には、各帳票Ｃに対応する料金情報および期限情報等を含む個別の帳票情報が取り込み順に羅列され、各帳票情報の隣に選択キーＰが１つずつ表示される。各帳票情報は、料金の払い込み先に関する情報を含んでもよい。
【００４８】
キャンセル画面５５を見た利用者は、所持金不足などの理由によってキャンセルする帳票Ｃがあれば、その帳票Ｃに対応する選択キーＰにタッチしてから確認キーＲにタッチする。この場合、制御部５０は、キャンセルする帳票Ｃ（以下では「対象外帳票ＣＸ」ということがある。）が存在すると判断する。利用者は、キャンセル画面５５における期限情報を見ることにより、納付期限に余裕がある帳票Ｃを対象外帳票ＣＸとして選択することができる。キャンセルする帳票がなければ、利用者は、確認キーＲだけにタッチする。この場合、制御部５０は、今回の全ての帳票Ｃは、処理対象の帳票Ｃ（以下では「対象帳票ＣＹ」ということがある。）であると判断する。なお、キャンセル画面５５の表示から所定時間が経過しても選択キーＰおよび確認キーＲのタッチがなければ、制御部５０は、キャンセルがなく、今回の全ての帳票Ｃが対象帳票ＣＹであると判断してもよい。以上のように、キャンセル画面５５を表示した表示操作部４は、取込排出口８から装置本体２内に取り込まれた帳票Ｃを対象帳票ＣＹまたは対象外帳票ＣＸとして選択するための選択部の一例として機能する。この実施形態では、キャンセル画面５５において対象外帳票ＣＸを選択できるが、対象外帳票ＣＸでなく対象帳票ＣＹが選択できてもよい。
【００４９】
図４Ａを参照して、今回取り込んだ帳票Ｃの中に対象外帳票ＣＸがなければ（ステップＳ６にてＮＯ）、制御部５０は、前述した決済処理（ステップＳ７）をカード処理部４２や現金処理部４３によって実行してから、通常処理を実行する（ステップＳ８）。具体的には、図６Ａを参照して、制御部５０は、保留部２２のドラム２２Ａを逆回転させて保留部２２内の帳票Ｃを、取り込み順とは逆の順番にて第２搬送路２１Ｂに１枚繰り出す。保留部２２から帳票Ｃが繰り出される順番は、取り込み順とは逆である。そのため、最初に繰り出された帳票Ｃは、取り込み順では最後であった対象帳票ＣＹである。なお、図６では、装置本体２が簡略化されて図示されている（後述する図８、図１１、図１３および図１４についても同様）。
【００５０】
制御部５０は、保留部２２から繰り出した対象帳票ＣＹを搬送部２４によって第２搬送路２１Ｂから第１搬送路２１Ａに受け渡して取込排出口８へ向けて搬送し、その際、アライメント部２７によって対象帳票ＣＹの姿勢を矯正する。そして、制御部５０は、第１搬送路２１Ａ内での搬送方向における対象帳票ＣＹの位置を搬送部２４によって調整してから、記入部３３の移動部３５を下降させて対象帳票ＣＹの表面ＣＡに接触させ、前述した記入情報に基いて表面ＣＡの該当箇所に領収印等を記入する。その後、制御部５０は、前述した分離情報に基いて、図６Ｂに示すように記入後の対象帳票ＣＹのミシン目Ｍが分離部３２の切断部材３４の真下に到達するまで対象帳票ＣＹを搬送部２４によって搬送する。そして、制御部５０は、待機位置の切断部材３４を少なくともミシン目Ｍまで下降させて対象帳票ＣＹを領収書Ｃ１と控えＣ２とに分離する。このように、対象帳票ＣＹは、記入部３３および分離部３２を含む処理部２６の処理対象である。
【００５１】
控えＣ２が先頭となるように取り込まれた対象帳票ＣＹでは、分離後において、領収書Ｃ１が控えＣ２よりも取込排出口８に近くに位置して一対の上流ローラ３１Ｂによって挟まれていて、控えＣ２が一対の下流ローラ３１Ｃによって挟まれている。この状態において、制御部５０は、上流ローラ３１Ｂと、上流ローラ３１Ｂよりも上流側の搬送ローラ３１とを逆回転させて、下流ローラ３１Ｃと、下流ローラ３１Ｃよりも下流側の搬送ローラ３１とを正回転させる。これにより、領収書Ｃ１は、図６Ｃに示すように、第１搬送路２１Ａ内を前進して取込排出口８から装置本体２の外に排出され（図１の矢印Ｙ２も参照）、控えＣ２は、第１搬送路２１Ａ内を後進する。制御部５０は、控えＣ２を搬送部２４によって第１搬送路２１Ａから第３搬送路２１Ｃに受け渡し、装置本体２内の受入部２３に回収する。以上により、１枚の対象帳票ＣＹについての通常処理が終了する。制御部５０は、保留部２２内の全ての帳票Ｃについて、通常処理を繰り返す。保留部２２内における最後（取り込み順では最初）の帳票Ｃについての通常処理が終了すると、今回の払込取引が終了する。このように、帳票Ｃの取り込み用の搬送路と、帳票Ｃの排出用の搬送路とが搬送路２１に一本化されている。
【００５２】
今回取り込んだ帳票Ｃの中に対象外帳票ＣＸがあって（ステップＳ６にてＹＥＳ）、さらに全ての帳票Ｃがキャンセルされた場合には（ステップＳ９にてＹＥＳ）、制御部５０は、保留部２２の全ての帳票Ｃについて返却処理を実行する（ステップＳ１０）。具体的には、制御部５０は、保留部２２のドラム２２Ａを逆転させて保留部２２内の全ての対象外帳票ＣＸを第２搬送路２１Ｂに繰り出し、搬送部２４によって第２搬送路２１Ｂから第１搬送路２１Ａに搬送して、処理部２６による分離や記入をせずに取込排出口８から排出する。つまり、対象外帳票ＣＸは、処理部２６の処理対象外である。
【００５３】
今回取り込んだ帳票Ｃの中の一部が対象外帳票ＣＸである場合には（ステップＳ９にてＮＯ）、図４Ｂのフローチャートを参照して、制御部５０は、対象外帳票ＣＸ以外の対象帳票ＣＹについてステップＳ７と同様の決済処理（ステップＳ１１）をしてから、保留部２２内の帳票Ｃを、取り込み順とは逆の順番にて第２搬送路２１Ｂに１枚繰り出す（ステップＳ１２）。制御部５０は、保留部２２内の各帳票Ｃが対象外帳票ＣＸおよび対象帳票ＣＹのどちらであるかを、取り込み順とキャンセル画面５５での選択結果とに基いて把握している。第２搬送路２１Ｂに繰り出された帳票Ｃが対象外帳票ＣＸである場合において（ステップＳ１３にてＹＥＳ）、保留部２２に対象帳票ＣＹが存在すれば（ステップＳ１４にてＹＥＳ）、制御部５０は、この対象外帳票ＣＸを図６Ｄに示すように搬送部２４によって第２搬送路２１Ｂから第３搬送路２１Ｃに受け渡して受入部２３に退避させてから（ステップＳ１５）、次の帳票Ｃを繰り出す（ステップＳ１２）。制御部５０は、対象外帳票ＣＸを受入部２３に退避させた場合に、対象外帳票ＣＸが受入部２３に存在していることを把握する。
【００５４】
第２搬送路２１Ｂに繰り出された帳票Ｃが対象帳票ＣＹである場合には（ステップＳ１３にてＮＯ）、制御部５０は、この対象帳票ＣＹを第１搬送路２１Ａに搬送して、対象帳票ＣＹに領収印等を記入して図６Ｄに示すように対象帳票ＣＹを分離する（ステップＳ１６）。分離直後のタイミングにおいて受入部２３に対象外帳票Ｘが存在すれば（ステップＳ１７でＹＥＳ）、制御部５０は、この対象外帳票Ｘを、図６Ｄの矢印Ｙ３に示すように、搬送部２４によって受入部２３から第３搬送路２１Ｃに取り出して第３搬送路２１Ｃから第２搬送路２１Ｂに受け渡して、保留部２２に保留する（ステップＳ１８）。なお、繰り出された対象帳票ＣＹが既に第１搬送路２１Ａにあれば、記入や分離の前に対象外帳票Ｘが受入部２３から保留部２２に戻されてもよい。そして、制御部５０は、図６Ｅに示すように、先ほど分離した対象帳票ＣＹのうち、領収書Ｃ１を取込排出口８に搬送して、控えＣ２を受入部２３に収納する（ステップＳ１９）。このように、対象帳票ＣＹを分離する直前に対象外帳票ＣＸが保留部２２から繰り出されて受入部２３に収納された場合には、この対象帳票ＣＹの控えＣ２を受入部２３に収納するために、対象外帳票ＣＸが保留部２２に戻される。
【００５５】
対象帳票ＣＹの分離時に受入部２３に対象外帳票Ｘが存在しなければ（ステップＳ１７でＮＯ）、制御部５０は、ステップＳ１８の処理をせずに、この対象帳票ＣＹの領収書Ｃ１および控えＣ２を取込排出口８および受入部２３にそれぞれ搬送する（ステップＳ１９）。先ほど分離した対象帳票ＣＹの次の帳票Ｃが保留部２２に存在しなければ（ステップＳ２０にてＮＯ）、今回の払込取引が終了する。一方、次の帳票Ｃが保留部２２に存在すれば（ステップＳ２０にてＹＥＳ）、制御部５０は、保留部２２における残りの帳票Ｃを繰り出す（ステップＳ１２）。繰り出された帳票Ｃが対象外帳票ＣＸであって保留部２２に対象帳票ＣＹが残っている場合には（ステップＳ１３およびＳ１４にてＹＥＳ）、制御部５０は、この対象外帳票ＣＸを図６Ｆに示すように受入部２３に退避させる（ステップＳ１５）。そのため、ステップＳ１８にて受入部２３から保留部２２に戻された対象外帳票ＣＸが保留部２２から繰り出されたときに対象帳票ＣＹが保留部２２に残っている場合には、この対象外帳票ＣＸは、保留部２２内の対象帳票ＣＹの記入および分離のために、再び受入部２３に退避する。
【００５６】
第２搬送路２１Ｂに繰り出された帳票Ｃが対象外帳票ＣＸである場合において（ステップＳ１３にてＹＥＳ）、保留部２２内に対象帳票ＣＹが存在しなければ（ステップＳ１４にてＮＯ）、制御部５０は、他の対象外帳票ＣＸが受入部２３に存在するか否かを確認する（ステップＳ２１）。他の対象外帳票ＣＸが受入部２３に存在しなければ（ステップＳ２１にてＮＯ）、制御部５０は、第２搬送路２１Ｂに繰り出した対象外帳票ＣＸを、前述した返却処理（ステップＳ１０）と同様に取込排出口８に搬送する（ステップＳ２２）。図６Ｆに示すように他の対象外帳票ＣＸが受入部２３に存在すれば（ステップＳ２１にてＹＥＳ）、制御部５０は、繰り出した対象外帳票ＣＸを取込排出口８に搬送するのに加えて、矢印Ｙ４に示すように、受入部２３内の対象外帳票ＣＸを第３搬送路２１Ｃに取り出して、第３搬送路２１Ｃから第１搬送路２１Ａに受け渡して取込排出口８に搬送する（ステップＳ２３）。
【００５７】
以上の説明では、保留部２２に保留された複数の帳票Ｃのうち、対象帳票ＣＹが処理部２６による処理の後に対象外帳票ＣＸよりも先に取込排出口８にまとめて搬送され、最後に対象外帳票ＣＸが取込排出口８にまとめて搬送される。ここでの「まとめて搬送される」とは、複数の対象帳票ＣＹまたは複数の対象外帳票ＣＸが連続して取込排出口８に１つずつ搬送されることである。逆に、対象外帳票ＣＸが対象帳票ＣＹよりも先に取込排出口８にまとめて搬送されてから、残りの対象帳票ＣＹが取込排出口８にまとめて搬送されてもよい。このように、対象帳票ＣＹと対象外帳票ＣＸとを含む複数の帳票Ｃが保留部２２に保留された場合に、保留部２２に保留された対象帳票ＣＹおよび対象外帳票ＣＸの一方が他方よりも先に取込排出口８に搬送された後に当該他方が取込排出口８に搬送されるように制御部５０が搬送部２４を制御する。これにより、帳票処理装置１では、複数の帳票Ｃを当該一方と当該他方とに仕分けて排出することができる。よって、利用者自身が、取込排出口８から排出された複数の帳票Ｃを対象帳票ＣＹと対象外帳票ＣＸとに仕分けずに済むので、使い勝手の向上を図れる。なお、保留部２２において前記一方が１つだけ保留されて前記他方が複数保留される場合もあり、その場合には、当該一方が取込排出口８に搬送された後に、複数の当該他方が取込排出口８にまとめて搬送される。または、保留部２２において前記他方が１つだけ保留されて前記一方が複数保留される場合もあり、その場合には、複数の当該一方が取込排出口８にまとめて搬送された後に、当該他方が取込排出口８に搬送される。
【００５８】
第１実施形態では、前記他方（ここでは対象外帳票ＣＸ）が受入部２３に受け入れられて前記一方（ここでは対象帳票ＣＹ）が取込排出口８に搬送された後に当該他方が取込排出口８に搬送されるように制御部５０が搬送部２４を制御する。当該他方を受入部２３に受け入れさせることにより、当該他方が当該一方の搬送の邪魔にならないので、当該一方を当該他方よりも先に取込排出口８に搬送した後に当該他方を取込排出口８に搬送することができる。特に、当該一方が対象帳票ＣＹである場合において、対象外帳票ＣＸが受入部２３に受け入れられてから対象帳票ＣＹが分離部３２によって分離されるために保留部２２から取り出された場合に、当該対象外帳票ＣＸが受入部２３から保留部２２に搬送されるように制御部５０が搬送部２４を制御する。このように対象外帳票ＣＸを受入部２３と保留部２２との間において行き来させる間に対象帳票ＣＹの控えＣ２を受入部２３に回収して、対象帳票ＣＹの領収書Ｃ１を対象外帳票ＣＸよりも先に取込排出口８に搬送した後に対象外帳票ＣＸを取込排出口８に搬送することができる。また、受入部２３が控えＣ２の回収部を兼ねるので、部品点数の削減を図りつつ、使い勝手の向上を図れる。
【００５９】
対象帳票ＣＹおよび対象外帳票ＣＸの一方が他方よりも先に取込排出口８にまとめて搬送された後に当該他方が取込排出口８にまとめて搬送されるような帳票Ｃの搬送パターンとして、第１実施形態以外に、以下の第２実施形態および第３実施形態が挙げられる。
図７は、第２実施形態に係る帳票処理装置１の内部構造を示す模式的な側面図である。なお、第２実施形態に係る帳票処理装置１の説明に際し、第１実施形態に係る帳票処理装置１において説明した部品と機能的に同じ部品には、同一の符号を付して説明を省略する。後述する第３実施形態および第４実施形態においても同様である。第２実施形態に係る帳票処理装置１は、保留部２２と同様の構成を有して複数の帳票Ｃを保留可能な副保留部６１をさらに含む。保留部２２を第１保留部とみなして、副保留部６１を第２保留部とみなしてもよい。また、搬送路２１は、第３搬送路２１Ｃの途中から分岐して副保留部６１につながった第４搬送路２１Ｄをさらに含む。搬送部２４は、第３搬送路２１Ｃと第４搬送路２１Ｄとの接続位置に設けられた分岐爪（図示せず）と、この分岐爪の向きを切り換えるソレノイド等の駆動部（図示せず）とをさらに含む。搬送部２４は、分岐爪の向きを切り換えることにより、帳票Ｃを第３搬送路２１Ｃと第４搬送路２１Ｄとの間にて行き来させることができる。
【００６０】
第２実施形態に係る帳票処理装置１に複数の帳票Ｃが取り込まれて保留部２２に保留された状態において、一部の帳票Ｃの処理がキャンセルされた場合における決済処理（ステップＳ１１）の後の帳票Ｃの動きを、図８を参照しながら説明する。保留部２２から第２搬送路２１Ｂに繰り出された帳票Ｃが対象帳票ＣＹである場合には、制御部５０は、この対象帳票ＣＹについては通常処理（ステップＳ８）を実行することによって、図８Ａに示すように対象帳票ＣＹを分離して領収書Ｃ１および控えＣ２を取込排出口８および受入部２３にそれぞれ振り分ける。
【００６１】
保留部２２から第２搬送路２１Ｂに繰り出された帳票Ｃが対象外帳票ＣＸであって保留部２２に対象帳票ＣＹが残っている場合には、制御部５０は、この対象外帳票ＣＸを、図８Ｂの矢印Ｙ５に示すように搬送部２４によって第３搬送路２１Ｃおよび第４搬送路２１Ｄ経由にて副保留部６１に搬送する。副保留部６１は、保留部２２からの対象外帳票ＣＸを受け取る。このように、第２実施形態では、対象外帳票ＣＸが受入部２３でなく副保留部６１に退避する。この場合、次に繰り出された対象帳票ＣＹの通常処理では、副保留部６１内の対象外帳票ＣＸを保留部２２に戻さなくても、分離後の対象帳票ＣＹの控えＣ２を受入部２３に収納することができる（図８Ｃの矢印Ｙ６参照）。
【００６２】
別の対象外帳票ＣＸが保留部２２から第２搬送路２１Ｂに繰り出された場合には、制御部５０は、この対象外帳票ＣＸを、図８Ｄの矢印Ｙ７に示すように搬送して副保留部６１に受け渡す。その後、対象帳票ＣＹが保留部２２から第２搬送路２１Ｂに繰り出された場合には、制御部５０は、図８Ｅに示すように、この対象帳票ＣＹを分離して取込排出口８と受入部２３とに振り分ける。この対象帳票ＣＹが保留部２２から最後に繰り出された帳票Ｃであれば、制御部５０は、副保留部６１内に退避した全ての対象外帳票ＣＸを第４搬送路２１Ｄに繰り出して、図８Ｆの矢印Ｙ８に示すように、第３搬送路２１Ｃおよび第１搬送路２１Ａ経由にて取込排出口８に返却する。なお、保留部２２から最後に繰り出された帳票Ｃが対象外帳票ＣＸである場合には、この対象外帳票ＣＸは、副保留部６１に一旦退避してから取込排出口８に返却されてもよいし、副保留部６１に退避することなく取込排出口８に返却されてもよい。
【００６３】
以上のように、第２実施形態では、対象帳票ＣＹおよび対象外帳票ＣＸの一方（ここでは対象帳票ＣＹ）が他方（ここでは対象外帳票ＣＸ）よりも先に取込排出口８に搬送されるように、前記他方が副保留部６１に保留される。そして、保留部２２における前記一方が副保留部６１における前記他方よりも先に取込排出口８に搬送された後に、当該他方が取込排出口８に搬送されるように制御部５０が搬送部２４を制御する。当該他方を副保留部６１に保留しておくことにより、当該他方が当該一方の搬送の邪魔にならないので、当該一方を当該他方よりも先に取込排出口８に搬送した後に当該他方を取込排出口８に搬送することができる。
【００６４】
図９は、第３実施形態に係る帳票処理装置１の内部構造を示す模式的な側面図である。第１実施形態と比較すると、第３実施形態に係る帳票処理装置１の保留部２２は、前述した巻き取り式の一時保留部の代わりに、帳票Ｃを個別に保留する複数の個別保留部６２を含む。各個別保留部６２は、帳票Ｃを１つ収容できる広さを有する略水平なスペースである。図９では、第１個別保留部６２Ａ、第２個別保留部６２Ｂおよび第３個別保留部６２Ｃという３つの個別保留部６２が存在する。第１個別保留部６２Ａの後端は、第２搬送路２１Ｂの下流端２１ＢＢに接続され、第２個別保留部６２Ｂおよび第３個別保留部６２Ｃのそれぞれの後端は、第２搬送路２１Ｂの途中部に接続されている。第２個別保留部６２Ｂと第２搬送路２１Ｂとの接続位置は、第３個別保留部６２Ｃと第２搬送路２１Ｂとの接続位置よりも下流端２１ＢＢ側にある。
【００６５】
搬送部２４は、第２個別保留部６２Ｂおよび第３個別保留部６２Ｃのそれぞれと第２搬送路２１Ｂとの接続位置に１つずつ設けられた分岐爪（図示せず）と、これらの分岐爪の向きを切り換えるソレノイド等の駆動部（図示せず）とをさらに含む。搬送ローラ３１は、第１個別保留部６２Ａ、第２個別保留部６２Ｂおよび第３個別保留部６２Ｃのそれぞれと第２搬送路２１Ｂとの接続位置にも設けられている。搬送部２４は、対応する分岐爪の向きを切り換えたり、対応する搬送ローラ３１を回転させたりすることによって、帳票Ｃを第１個別保留部６２Ａ、第２個別保留部６２Ｂおよび第３個別保留部６２Ｃのそれぞれと第２搬送路２１Ｂとの間にて行き来させることができる。
【００６６】
第３実施形態に係る帳票処理装置１に複数の帳票Ｃが取り込まれて一部の帳票Ｃの処理がキャンセルされる場合における帳票Ｃの動きを、図９を参照しながら説明する。まず、制御部５０は、取込排出口８から第１搬送路２１Ａ内に取り込まれた１つの帳票Ｃを、第１個別保留部６２Ａ、第２個別保留部６２Ｂおよび第３個別保留部６２Ｃのいずれか１つまで搬送して、搬送先の個別保留部６２に一時保留する。そして、制御部５０は、次に取り込まれた１つの帳票Ｃを、第１個別保留部６２Ａ、第２個別保留部６２Ｂおよび第３個別保留部６２Ｃにおいて空いている個別保留部６２に一時保留する。そのため、第１個別保留部６２Ａ、第２個別保留部６２Ｂおよび第３個別保留部６２Ｃのそれぞれには帳票Ｃが１つずつ保留される。
【００６７】
一例として、第１個別保留部６２Ａに対象帳票ＣＹが保留されて第２個別保留部６２Ｂおよび第３個別保留部６２Ｃのそれぞれに対象外帳票ＣＸが保留された場合において決済処理（ステップＳ１１）が終了すると、制御部５０は、まず、第１個別保留部６２Ａの対象帳票ＣＹについては通常処理（ステップＳ８）を実行することによって、この対象帳票ＣＹを分離して領収書Ｃ１および控えＣ２を取込排出口８および受入部２３にそれぞれ振り分ける。そして、制御部５０は、第２個別保留部６２Ｂおよび第３個別保留部６２Ｃの対象外帳票ＣＸを第２搬送路２１Ｂに繰り出して、第１搬送路２１Ａ経由にて取込排出口８に返却する。
【００６８】
以上のように、第３実施形態では、対象帳票ＣＹおよび対象外帳票ＣＸの一方（ここでは対象帳票ＣＹ）を保留した個別保留部６２における当該一方が、他方（ここでは対象外帳票ＣＸ）を保留した別の個別保留部６２における当該他方よりも先に取込排出口８に搬送された後に、前記別の個別保留部６２における当該他方が取込排出口８に搬送されるように制御部５０が搬送部２４を制御する。当該他方を個別保留部６２に保留しておくことにより、当該他方が当該一方の搬送の邪魔にならないので、当該一方を当該他方よりも先に取込排出口８に搬送した後に当該他方を取込排出口８に搬送することができる。
【００６９】
第３実施形態では、受入部２３につながった第３搬送路２１Ｃを１つの個別保留部６２として使用してもよい。この場合には、４つの個別保留部６２が存在するので、帳票処理装置１では、４つの帳票Ｃを個別に保留できる。ただし、対象帳票ＣＹの控えＣ２を第３搬送路２１Ｃ経由によって受入部２３に収納する都合上、対象帳票ＣＹの分離時には第３搬送路２１Ｃが空いている必要がある。そこで、対象外帳票ＣＸが第３搬送路２１Ｃに保留された場合には、制御部５０は、この対象外帳票ＣＸと、他の個別保留部６２に保留された他の対象外帳票ＣＸとを、対象帳票ＣＹよりも先に取込排出口８に返却して、第３搬送路２１Ｃを空ける。
【００７０】
控えＣ２が先頭となるように取り込まれた帳票Ｃでは、分離後において、領収書Ｃ１が第１搬送路２１Ａ内において控えＣ２よりも取込排出口８に近くに位置しているので、領収書Ｃ１をそのまま前側へ搬送すれば取込排出口８から返却できる（図６Ｂおよび図６Ｃ参照）。一方、領収書Ｃ１が先頭となるように取り込まれた帳票Ｃでは、分離後において、控えＣ２が第１搬送路２１Ａ内において領収書Ｃ１よりも取込排出口８に近くに位置する。このままでは、控えＣ２が邪魔することにより、領収書Ｃ１を取込排出口８まで搬送して利用者に返却することができない。しかし、帳票処理装置１では、領収書Ｃ１が先頭となるように取り込まれた帳票Ｃでも領収書Ｃ１を取込排出口８から返却することができる。その場合の処理を、図１０のフローチャートを参照して説明する。なお、図１０では、図４Ａの処理ステップと同じ処理ステップには、図４Ａと同じステップ番号を付し、その処理ステップについての詳細な説明を省略する。
【００７１】
第１実施形態に係る帳票処理装置１（図２参照）では、まず、制御部５０は、利用者が取込排出口８に挿入した帳票Ｃを第１搬送路２１Ａ内に取り込む（ステップＳ１）。そして、制御部５０は、読取部２５を通過する際における帳票Ｃの表面ＣＡの画像情報を読取部２５によって読み取り、この帳票Ｃの種類および向きを特定する（ステップＳ２）。そして、種類および向きを特定した帳票Ｃを保留部２２に一時保留する（ステップＳ３）。次の帳票Ｃが取込排出口８に挿入されるたびに（ステップＳ４にてＹＥＳ）、制御部５０は、ステップＳ１〜Ｓ３の処理を繰り返す。
【００７２】
全ての帳票Ｃの取り込みが完了すると（ステップＳ４にてＮＯ）、制御部５０は、決済処理（ステップＳ７）を実行してから、通常処理（ステップＳ８）を実行する。通常処理として、まず、制御部５０は、図６Ａに示すように、保留部２２のドラム２２Ａを逆転させて保留部２２内の帳票Ｃを、取り込み順とは逆の順番にて第２搬送路２１Ｂに１枚繰り出す（ステップＳ８１）。制御部５０は、繰り出した帳票Ｃを搬送部２４によって第２搬送路２１Ｂから第１搬送路２１Ａに搬送し、その際、アライメント部２７によって帳票Ｃの姿勢を矯正する。そして、制御部５０は、第１搬送路２１Ａ内での搬送方向における帳票Ｃの位置を搬送部２４によって調整してから、記入部３３の移動部３５を下降させて帳票Ｃの表面ＣＡに接触させることによって表面ＣＡにおける該当箇所に領収印等を記入する（ステップＳ８２）。その後、制御部５０は、図６Ｂに示すように、記入後の帳票Ｃのミシン目Ｍが分離部３２の切断部材３４の真下に到達するまで帳票Ｃを搬送部２４によって搬送し、切断部材３４を下降させて帳票Ｃをミシン目Ｍにおいて分離する（ステップＳ８３）。
【００７３】
次に、制御部５０は、分離部３２によって分離された帳票ＣについてステップＳ２にて特定した向きを確認する（ステップＳ８４）。領収書Ｃ１が控えＣ２よりも取込排出口８側にある場合には（ステップＳ８４にてＹＥＳ）、制御部５０は、図６Ｃに示すように、第１処理として、搬送部２４を制御して領収書Ｃ１を第１搬送路２１Ａ内にて前進させて取込排出口８から排出する（ステップＳ８５）。そして、制御部５０は、第２処理として、搬送部２４を制御して控えＣ２を第１搬送路２１Ａから第３搬送路２１Ｃに受け渡して受入部２３まで搬送する（ステップＳ８６）。
【００７４】
一方、図１１Ａに示すように控えＣ２が領収書Ｃ１よりも取込排出口８に近いことが特定された帳票Ｃの場合には（ステップＳ８４にてＮＯ）、制御部５０は、図１１Ｂに示すように、第３処理として、搬送部２４によって領収書Ｃ１を保留部２２に退避させる（ステップＳ８７）。次に、制御部５０は、図１１Ｃの矢印Ｙ９に示すように、前述した第２処理として控えＣ２を第１搬送路２１Ａから第３搬送路２１Ｃに受け渡して受入部２３に回収する（ステップＳ８８）。すると、保留部２２に退避した領収書Ｃ１と取込排出口８との間が空くので、その後、制御部５０は、図１１Ｄの矢印Ｙ１０に示すように、前述した第１処理として、領収書Ｃ１を保留部２２から繰り出して第２搬送路２１Ｂおよび第１搬送路２１Ａ経由で取込排出口８から排出する（ステップＳ８９）。
【００７５】
以上のように、控えＣ２が領収書Ｃ１よりも取込排出口８に近い向きの帳票Ｃが分離された場合には、制御部５０は、第２処理（受入部２３への控えＣ２の回収）を実行した後に、第１処理（取込排出口８への領収書Ｃ１の搬送）を実行する。控えＣ２が第２処理により受入部２３に搬送されることによって領収書Ｃ１と取込排出口８との間からいなくなるので、領収書Ｃ１を取込排出口８に搬送することができる。これにより、利用者が取込排出口８に挿入する際の帳票Ｃの向きを気にしなくても、必ず領収書Ｃ１が取込排出口８に搬送されるので、使い勝手の向上を図れる。さらに、保留部２２が存在する場合には、制御部５０は、第３処理（保留部２２への領収書Ｃ１の退避）と第２処理とを実行した後に、第１処理を実行する。そのため、第３処理によって領収書Ｃ１を保留部２２に保留することにより、控えＣ２は、領収書Ｃ１に邪魔されずに受入部２３に搬送され、その後に領収書Ｃ１が取込排出口８に搬送される。
【００７６】
このような搬送パターンを採用することにより、取込排出口８に取り込まれた時の帳票Ｃの向きに関わらず、必ず領収書Ｃ１を取込排出口８から返却することができる。そのため、帳票処理装置１では、取込排出口８に取り込む帳票Ｃの向きを利用者に指定しない運用が可能になる。これにより、帳票処理装置１では、帳票Ｃの向きの間違えによる帳票Ｃのリジェクト処理がなくなるので、稼働率の向上を図れる。このような運用は、第１実施形態だけでなく、以下に説明するように、前述した第２実施形態や第３実施形態に係る帳票処理装置１でも可能である。
【００７７】
第２実施形態に係る帳票処理装置１（図７参照）において、分離後の帳票Ｃの控えＣ２が領収書Ｃ１よりも取込排出口８側にある場合には、制御部５０は、第３処理として領収書Ｃ１を保留部２２または副保留部６１に退避させ、その間に、第２処理として控えＣ２を受入部２３に回収する。控えＣ２の回収後に、制御部５０は、第１処理として領収書Ｃ１を保留部２２または副保留部６１から繰り出して取込排出口８まで搬送する。
【００７８】
第３実施形態に係る帳票処理装置１（図９参照）において、分離後の帳票Ｃの控えＣ２が領収書Ｃ１よりも取込排出口８側にある場合には、制御部５０は、第３処理として領収書Ｃ１をいずれかの個別保留部６２に退避させ、その間に、第２処理として控えＣ２を受入部２３に回収する。控えＣ２の回収後に、制御部５０は、第１処理として領収書Ｃ１を個別保留部６２から繰り出して取込排出口８まで搬送する。
【００７９】
図１２は、第４実施形態に係る帳票処理装置１の内部構造を示す模式的な側面図である。第１実施形態と比較すると、第４実施形態に係る帳票処理装置１の搬送路２１は、第１搬送路２１Ａにおいて取込排出口８と分離部３２の切断部材３４との間の部分から分岐して受入部２３につながった分岐路２１Ｅをさらに含む。受入部２３における分岐路２１Ｅとの接続部分は、受入部２３における第３搬送路２１Ｃとの接続部分とは別に設けられている。なお、分岐路２１Ｅは、受入部２３ではなく第３搬送路２１Ｃにつながることによって、受入部２３に間接的につながってもよい。搬送部２４は、第１搬送路２１Ａと分岐路２１Ｅとの接続位置に設けられた分岐爪（図示せず）と、この分岐爪の向きを切り換えるソレノイド等の駆動部（図示せず）とをさらに含む。搬送部２４は、分岐爪の向きを切り換えることにより、帳票Ｃを第１搬送路２１Ａと分岐路２１Ｅとの間にて行き来させることができる。
【００８０】
第４実施形態に係る帳票処理装置１において、図１３Ａに示すように分離後の帳票Ｃにおける領収書Ｃ１が控えＣ２よりも取込排出口８側にある場合には、制御部５０は、図１３Ｂに示すように、領収書Ｃ１を前進させて取込排出口８から排出し、控えＣ２を第３搬送路２１Ｃに受け渡して受入部２３に回収する。なお、制御部５０は、領収書Ｃ１を取込排出口８から排出してから、控えＣ２を分岐路２１Ｅに受け渡して受入部２３に回収してもよく、その場合には第３搬送路２１Ｃを省略できる。
【００８１】
一方、図１３Ｃに示すように搬送路２１内において控えＣ２が領収書Ｃ１よりも取込排出口８に近くなるような向きになった帳票Ｃの場合には、制御部５０は、図１３Ｄの矢印Ｙ１１に示すように、搬送部２４によって控えＣ２を分岐路２１Ｅに受け渡して受入部２３に回収する。すると、控えＣ２が分岐路２１Ｅ経由にて受入部２３に搬送されることによって領収書Ｃ１と取込排出口８との間からいなくなるので、制御部５０は、図１３Ｅに示すように、領収書Ｃ１を第１搬送路２１Ａ内にて前進させて取込排出口８に搬送して取込排出口８から排出することができる。第４実施形態の場合には、第１実施形態〜第３実施形態と比べて領収書Ｃ１を保留部２２等に退避させる処理が不要なので、速やかに領収書Ｃ１を取込排出口８から排出できる。
【００８２】
以上のように帳票Ｃを搬送路２１内において行き来させる場合には、例えば第３搬送路２１Ｃに沿って帳票Ｃが湾曲する際に、帳票Ｃがミシン目Ｍにて破れてしまうことが想定される。そこで、帳票処理装置１では、搬送途中における帳票Ｃの破れの有無が、読取部２５および検出部２８を用いて監視される。なお、帳票Ｃの破れとは、帳票Ｃが領収書Ｃ１と控えＣ２とに完全に分離した状態だけでなく、ミシン目Ｍの一部が破れて領収書Ｃ１と控えＣ２との間に隙間が生じているものの領収書Ｃ１と控えＣ２とがかろうじてつながっている状態も指す。
【００８３】
具体的には、図１４Ａを参照して、制御部５０は、取り込み後のステップＳ２において読取部２５によって帳票Ｃから読み取った画像情報に基いて、この帳票Ｃの搬送方向の寸法Ｄ１を取得する。寸法Ｄ１は、分離前の帳票Ｃにおける長手方向寸法である。そして、制御部５０は、図１４Ｂに示すように、記入部３３による領収印等の記入のために帳票Ｃを第１搬送部２４Ａ内において取込排出口８側へ搬送し、アライメント部２７によって帳票Ｃの姿勢を矯正する。その際に、帳票Ｃが検出部２８の発光素子２８Ａと受光素子２８Ｂとの間を通過するのだが、発光素子２８Ａからの検知光が帳票Ｃによって遮光されている間には検出部２８が所定間隔のパルスを制御部５０に出力する。制御部５０は、検出部２８から出力されたパルスをカウントすることによって、発光素子２８Ａと受光素子２８Ｂとの間を通過した時の帳票Ｃの搬送方向の寸法Ｄ２を取得する。寸法Ｄ２は、パルスのカウント値から得られる。寸法Ｄ１と寸法Ｄ２との差が所定の閾値（例えば、誤差を考慮した１５ｍｍ）よりも小さければ、制御部５０は、発光素子２８Ａと受光素子２８Ｂとの間を通過した時の帳票Ｃは破れていないと判断する。
【００８４】
一方、図１４Ｃに示すように帳票Ｃが検出部２８の発光素子２８Ａと受光素子２８Ｂとの間を通過する前の段階において破れると、発光素子２８Ａと受光素子２８Ｂとの間を通過した時の帳票Ｃの搬送方向の寸法Ｄ３は、寸法Ｄ１よりも所定の閾値以上小さい。この場合、制御部５０は、発光素子２８Ａと受光素子２８Ｂとの間を通過した時の帳票Ｃが破れていると判断し、表示操作部４における表示等によってエラーを報知する。この報知を受けてエラー解除のために駆けつけた係員等は、装置本体２内における帳票Ｃの破れを認識できるので、破れた帳票Ｃの破片の位置を想定して速やかにエラー解除を実行できる。なお、検出部２８の代わりに読取部２５を用いてもよく、この場合には、制御部５０は、取り込み時と排出時の両方における帳票Ｃの寸法を読取部２５によって取得して、これらの寸法の差の大きさに応じて帳票Ｃの破れを判断する。
【００８５】
以上に説明した様々な特徴は、適宜組み合わせることができる。例えば、領収書Ｃ１が先頭になるように取り込まれた複数の帳票Ｃにおいて一部がキャンセルされた場合には、図４Ａおよび図４Ｂのフローチャートと図１０のフローチャートとを組み合わせた処理によって、例えば、対象帳票ＣＹの領収書Ｃ１を先に返却した後に対象外帳票ＣＸをまとめて返却できる。つまり、帳票処理装置１では、保留部２２や受入部２３等を用いた様々な搬送パターンによって帳票Ｃを搬送することにより、利用者の操作性の向上を図れる。
【００８６】
この発明は、以上の実施形態の内容に限定されるものではなく、請求項に記載の範囲内において種々の変更が可能である。
例えば、装置本体２には、制御部５０の制御によって取込排出口８を開閉するシャッター（図示せず）が設けられてもよい。このシャッターが取込排出口８を閉じた状態では、装置本体２の外部から取込排出口８へのアクセスが規制される。制御部５０は、シャッターを閉じた状態にて対象外帳票ＣＸや領収書Ｃ１を取込排出口８に搬送し、搬送後にシャッターを開いて取込排出口８へのアクセスを許可してもよい。
【００８７】
分離部３２の切断部材３４の刃先３４Ａ（図２参照）は、搬送路２１側へ円弧状に膨出するように丸まるように鈍くなっている。切断時において帳票Ｃのミシン目Ｍが刃先３４Ａから多少ずれていても、鈍い刃先３４Ａであれば、脆弱部であるミシン目Ｍにテンションを集中させることによって、帳票Ｃをミシン目Ｍにおいて正確に切断できる。もちろん、刃先３４Ａが鋭利であってもよい。また、切断部材３４として、この実施形態におけるギロチンカッターでなく、回転可能なロータリーカッターを用いてもよい。また、刃先３４Ａが鋭利である場合には、帳票Ｃにおける領収書Ｃ１と控えＣ２との境界にミシン目Ｍが形成されなくてもよい。
【００８８】
分離部３２が切断部材３４を備えない構成もあり得る。この場合には、帳票Ｃのミシン目Ｍが上流ローラ３１Ｂと下流ローラ３１Ｃとの間に位置する状態において、制御部５０が、上流ローラ３１Ｂを逆回転させて下流ローラ３１Ｃを正回転させる。すると、帳票Ｃは、ミシン目Ｍの両側において上流ローラ３１Ｂおよび下流ローラ３１Ｃによって引っ張られるので、切断部材３４によって切断しなくても、領収書Ｃ１と控えＣ２とに分離される。この場合には、上流ローラ３１Ｂおよび下流ローラ３１Ｃが分離部３２を構成する。
【００８９】
保留部２２として、前述した巻き取り式とは異なる公知の一時保留部を用いてもよい。
対象外帳票Ｃには、取引がキャンセルされた帳票Ｃの他に、取り込まれたものの帳票処理装置１での取引対象外の種類の帳票Ｃや、表面ＣＡが下向きで取り込まれたことによって画像情報が読み取れなかった帳票Ｃが含まれてもよい。
【符号の説明】
【００９０】
１      帳票処理装置
２      装置本体
４      表示操作部
８      取込排出口
２１    搬送路
２１Ｅ  分岐路
２２    保留部
２３    受入部
２４    搬送部
２６    処理部
３２    分離部
５０    制御部
６１    副保留部
６２    個別保留部
Ｃ      帳票
Ｃ１    領収書
Ｃ２    控え
ＣＸ    対象外帳票
ＣＹ    対象帳票
【図１】
2020095530.tif 000003
【図２】
2020095530.tif 000004
【図３】
2020095530.tif 000005
【図４Ａ】
2020095530.tif 000006
【図４Ｂ】
2020095530.tif 000007
【図５】
2020095530.tif 000008
【図６Ａ−６Ｃ】
2020095530.tif 000009
【図６Ｄ−６Ｆ】
2020095530.tif 000010
【図７】
2020095530.tif 000011
【図８Ａ−８Ｃ】
2020095530.tif 000012
【図８Ｄ−８Ｆ】
2020095530.tif 000013
【図９】
2020095530.tif 000014
【図１０】
2020095530.tif 000015
【図１１Ａ−１１Ｄ】
2020095530.tif 000016
【図１２】
2020095530.tif 000017
【図１３Ａ−１３Ｃ】
2020095530.tif 000018
【図１３Ｄ−１３Ｅ】
2020095530.tif 000019
【図１４Ａ−１４Ｃ】
2020095530.tif 000020